(57)【要約】【課題】閉じる際のみに擬似的な切断音を発生し、従来に比べ安全で組立てが容易で低コストのはさみ玩具を提供する。【解決手段】はさみ片２に対し回動可能な爪車部材４と、はさみ片３と一体的に回動可能で、爪車部材４の爪４２に噛合する尖角部５２が形成されて弾性変形によって爪４２に後退する方向へ動作可能な第二の弾性腕５３を有する弾性部材５とを備え、はさみ片２には第一の係合部２１ｂが形成され、爪車部材４には第一の弾性腕４４の弾性力によって第一の係合部２１ｂと係合可能な第二の係合部４３が形成され、爪４２及び尖角部５２ははさみ片２，３が閉じる際に第二の弾性腕５３が爪４２に後退する方向へ動作する一方で、はさみ片２，３が開く際に噛合状態を維持し、第一の係合部２１ｂ及び第二の係合部４３ははさみ片２，３が閉じる際に係合状態を維持する一方で、はさみ片２，３が開く際に前記弾性力に抗して係合を解くように構成される。【選択図】図１
0003140452.tif 000002
【実用新案登録請求の範囲】
【請求項１】
一対のはさみ片が支点にて枢着されたはさみ玩具において、
一方のはさみ片の側に設けられ、前記支点を中心として回動可能に構成されるとともに、当該支点を中心とする爪車が形成された爪車部材と、
他方のはさみ片の側に設けられ、前記支点を中心として当該他方のはさみ片と一体的に回動可能に構成されるとともに、前記爪車部材の爪に常態で噛合する尖角部が形成されて弾性変形によって当該爪に対して後退する方向に動作可能な弾性腕と、を備え、
前記爪車部材及び前記一方のはさみ片のうちの一方の部材には、凸部又は凹部からなる第一の係合部が形成され、他方の部材には、凹部又は凸部からなり、前記第一の係合部と係合可能な第二の係合部が形成され、
前記第一の係合部及び前記第二の係合部は、前記一対のはさみ片が閉じる際に該第一の係合部及び該第二の係合部の少なくとも一方の部分の弾性反発によって互いに係合状態となりその状態を維持するように構成される一方で、前記一対のはさみ片が開く際に該一方の部分の弾性変形によって互いの係合を解くように構成され、
前記爪及び前記尖角部は、前記一対のはさみ片が閉じる際に前記弾性腕が当該爪によって弾かれるよう構成される一方で、前記一対のはさみ片が開く際に互いの噛合状態を維持するように構成され、
ていることを特徴とするはさみ玩具。
【請求項２】
一対のはさみ片が支点にて枢着されたはさみ玩具において、
一方のはさみ片の側に設けられ、前記支点を中心として回動可能に構成されるとともに、当該支点を中心として当該一方のはさみ片と一体的に回動する爪車と、
他方のはさみ片の側に設けられ、前記支点を中心として回動可能に構成されるとともに、前記爪車の爪に常態で噛合する尖角部が形成されて弾性変形によって当該爪に対して後退する方向に動作可能な弾性腕を有する弾性部材と、を備え、
前記弾性部材及び前記他方のはさみ片のうちの一方の部材には、凸部又は凹部からなる第三の係合部が形成され、他方の部材には、凹部又は凸部からなり、前記第三の係合部と係合可能な第四の係合部が形成され、
前記第三の係合部及び前記第四の係合部は、前記一対のはさみ片が閉じる際に該第三の係合部及び該第四の係合部の少なくとも一方の部分の弾性反発によって互いに係合状態となりその状態を維持するように構成される一方で、前記一対のはさみ片が開く際に該一方の部分の弾性変形によって互いの係合を解くように構成され、
前記爪及び前記尖角部は、前記一対のはさみ片が閉じる際に前記弾性腕が当該爪によって弾かれるよう構成される一方で、前記一対のはさみ片が開く際に互いの噛合状態を維持するように構成され、
ていることを特徴とするはさみ玩具。
【請求項３】
前記弾性腕は前記他方のはさみ片と一体に形成されていることを特徴とする請求項１に記載のはさみ玩具。
【請求項４】
前記爪車は前記一方のはさみ片と一体に形成されていることを特徴とする請求項２に記載のはさみ玩具。
【請求項５】
前記弾性腕は前記支点を中心とする円の円周方向に等間隔で複数設けられていることを特徴とする請求項１から３いずれか一項に記載のはさみ玩具。
【考案の詳細な説明】
【技術分野】
【０００１】
本考案は、はさみ玩具に関する。
【背景技術】
【０００２】
従来、幼児が人形遊びや飯事遊びで使用するはさみ玩具は、紙等を切断するための刃を備えておらず、一対のはさみ片が開閉された際に擬似的な切断音を発するようになっていた。
【０００３】
そして、この擬似的な切断音を発するための構造は、一対のはさみ片が枢着された支点部に当該支点を中心とした２つの環状ラックを噛合するよう設けて、このうちの一方の環状ラックを１つのはさみ片に固定し、他方の環状ラックをコイルばねによって一方の環状ラックへ付勢しておくものであった。このような構造により、一対のはさみ片が開閉された際に、２つの環状ラックがコイルばねの付勢力に抗して相対的に回転することで、互いの歯が連続的に接触する音が発生する。この接触音を擬似的な切断音として見立てていた。
【考案の開示】
【考案が解決しようとする課題】
【０００４】
しかしながら、上記のようなはさみ玩具では、一対のはさみ片が閉じる際だけでなく開く際にも擬似的な切断音が発生していた。また、支点部が破損した際にコイルばねが飛び出て使用者である幼児に怪我を負わせる危険があった。
【０００５】
本考案は、上記事情を鑑みてなされたもので、主に、一対のはさみ片が閉じる際のみに擬似的な切断音を発生するとともに、従来に比べ、安全性を向上させたはさみ玩具の提供を課題とする。
【課題を解決するための手段】
【０００６】
前記の課題を解決するために、請求項１に記載の考案は、
一対のはさみ片が支点にて枢着されたはさみ玩具において、
一方のはさみ片の側に設けられ、前記支点を中心として回動可能に構成されるとともに、当該支点を中心とする爪車が形成された爪車部材と、
他方のはさみ片の側に設けられ、前記支点を中心として当該他方のはさみ片と一体的に回動可能に構成されるとともに、前記爪車部材の爪に常態で噛合する尖角部が形成されて弾性変形によって当該爪に対して後退する方向に動作可能な弾性腕と、を備え、
前記爪車部材及び前記一方のはさみ片のうちの一方の部材には、凸部又は凹部からなる第一の係合部が形成され、他方の部材には、凹部又は凸部からなり、前記第一の係合部と係合可能な第二の係合部が形成され、
前記第一の係合部及び前記第二の係合部は、前記一対のはさみ片が閉じる際に該第一の係合部及び該第二の係合部の少なくとも一方の部分の弾性反発によって互いに係合状態となりその状態を維持するように構成される一方で、前記一対のはさみ片が開く際に該一方の部分の弾性変形によって互いの係合を解くように構成され、
前記爪及び前記尖角部は、前記一対のはさみ片が閉じる際に前記弾性腕が当該爪によって弾かれるよう構成される一方で、前記一対のはさみ片が開く際に互いの噛合状態を維持するように構成され、
ていることを特徴とする。
【０００７】
請求項２に記載の考案は、
一対のはさみ片が支点にて枢着されたはさみ玩具において、
一方のはさみ片の側に設けられ、前記支点を中心として回動可能に構成されるとともに、当該支点を中心として当該一方のはさみ片と一体的に回動する爪車と、
他方のはさみ片の側に設けられ、前記支点を中心として回動可能に構成されるとともに、前記爪車の爪に常態で噛合する尖角部が形成されて弾性変形によって当該爪に対して後退する方向に動作可能な弾性腕を有する弾性部材と、を備え、
前記弾性部材及び前記他方のはさみ片のうちの一方の部材には、凸部又は凹部からなる第三の係合部が形成され、他方の部材には、凹部又は凸部からなり、前記第三の係合部と係合可能な第四の係合部が形成され、
前記第三の係合部及び前記第四の係合部は、前記一対のはさみ片が閉じる際に該第三の係合部及び該第四の係合部の少なくとも一方の部分の弾性反発によって互いに係合状態となりその状態を維持するように構成される一方で、前記一対のはさみ片が開く際に該一方の部分の弾性変形によって互いの係合を解くように構成され、
前記爪及び前記尖角部は、前記一対のはさみ片が閉じる際に前記弾性腕が当該爪によって弾かれるよう構成される一方で、前記一対のはさみ片が開く際に互いの噛合状態を維持するように構成され、
ていることを特徴とする。
【０００８】
請求項３に記載の考案は、請求項１に記載のはさみ玩具であって、
前記弾性腕は前記他方のはさみ片と一体に形成されていることを特徴とする。
【０００９】
請求項４に記載の考案は、請求項２に記載のはさみ玩具であって、
前記爪車は前記一方のはさみ片と一体に形成されていることを特徴とする。
【００１０】
請求項５に記載の考案は、請求項１から３いずれか一項に記載のはさみ玩具であって、
前記弾性腕は前記支点を中心とする円の円周方向に等間隔で複数設けられていることを特徴とする。
【考案の効果】
【００１１】
請求項１に記載の考案によれば、一対のはさみ片が閉じる際には、弾性腕が複数の爪によって弾かれるので、爪と尖角部とが接触して音が発生する。しかし、一対のはさみ片が開く際には、一方のはさみ片と爪車部材とが相対的に回転して爪車部材と弾性腕とが一体的に回転するので前記音が発生しない。したがって、一対のはさみ片が閉じる際のみに擬似的な切断音として当該音を発生させることができる。また、弾性腕はその弾性変形によって爪車部材の爪に対して後退する方向に動作可能であるとともに、第一の係合部と第二の係合部とは互いのうちの少なくとも一方の部分の弾性反発又は弾性変形によって係合自在であるので、爪車部材の爪と弾性腕とを噛合させ、あるいは第一の係合部と第二の係合部とを係合させるためのコイルばねを必要としない。したがって、従来のように支点部が破損した際にコイルばねが飛び出て使用者である幼児に怪我を負わせる危険が無く、安全性を向上させることができる。
【００１２】
請求項２に記載の考案によれば、一対のはさみ片が閉じる際には、弾性部材の弾性腕が複数の爪によって弾かれるので、爪と尖角部とが接触して音が発生する。しかし、一対のはさみ片が開く際には、他方のはさみ片と弾性部材とが相対的に回転して爪車と弾性部材とが一体的に回転するので前記音が発生しない。したがって、一対のはさみ片が閉じる際のみに擬似的な切断音として当該音を発生させることができる。また、弾性部材の弾性腕はその弾性変形によって爪車部材の爪に対して後退する方向に動作可能であるとともに、第三の係合部と第四の係合部とは互いのうちの少なくとも一方の部分の弾性反発又は弾性変形によって係合自在であるので、爪車の爪と弾性部材の弾性腕とを噛合させ、あるいは第三の係合部と第四の係合部とを係合させるためのコイルばねを必要としない。したがって、従来のように支点部が破損した際にコイルばねが飛び出て使用者である幼児に怪我を負わせる危険が無く、安全性を向上させることができる。
【００１３】
請求項３に記載の考案によれば、弾性腕は他方のはさみ片と一体に形成されているので、部品点数を減らすことができ、組立てを容易にするとともに製造コストを低減させることができる。
【００１４】
請求項４に記載の考案によれば、爪車は一方のはさみ片と一体に形成されているので、部品点数を減らすことができ、組立てを容易にするとともに製造コストを低減させることができる。
【００１５】
請求項５に記載の考案によれば、弾性腕は支点を中心とする円の円周方向に等間隔で複数設けられているので、弾性腕が爪によって弾かれて爪と尖角部とが接触する際に、より大きな音を出すことができる。
【考案を実施するための最良の形態】
【００１６】
以下、本考案の実施の形態について、図を参照して説明する。
【００１７】
図１に、本実施の形態に係るはさみ玩具１の分解斜視図を示す。このはさみ玩具１は、支点Ｆを中心に回動可能に連結された一対のはさみ片２，３と、この一対のはさみ片２，３の支点部に収納される円板状の爪車部材４と、爪車部材４の爪に噛合する爪を有する弾性部材５と、一対のはさみ片２，３を支点Ｆで結合するビス６とから構成されている。
【００１８】
一対のはさみ片２，３は、支点Ｆを中心とした円板状の支点部２１，３１と、リング状のハンドル２２，３２と、棒状の刃部２３，３３とをそれぞれ備え、特に限定はされないが、硬質プラスチック材料で成形されている。ハンドル２２，３２及び刃部２３，３３は、支点部２１，３１に対し、実際のはさみと全く同様に設けられる。但し、刃部２３，３３は、刃線が平面で形成され閉じた際にその平面同士が合わさる構成とされているため、切断能力を有していない。
【００１９】
また、はさみ片２の支点部２１には、その内周側に爪車部材４と弾性部材５とを収納する円形凹状の収納空間２１ａが形成されている。はさみ片３の支点部３１は、この収納空間２１ａを覆うように支点部２１と嵌合するようになっている。収納空間２１ａの底面には、後述する爪車部材４の第二の係合部４３と係合する偶数個の凹状の第一の係合部２１ｂが、支点Ｆを中心とした輪帯状に均等間隔で形成されている。更に、収納空間２１ａの中央部分には、支点Ｆを中心とする円柱部２１ｃが形成されている。
【００２０】
爪車部材４は、その外周と同心の内周面が支点部２１の円柱部２１ｃの外周面に遊嵌しつつ、収納空間２１ａに収納されている。これにより、爪車部材４は、収納空間２１ａ内で支点Ｆを中心にはさみ片２に対して回動可能となっている。また、爪車部材４は、支点Ｆを中心とした内周壁が形成される凹部４１をはさみ片３側に有しており、凹部４１の内周壁に多数の爪４２を備えている。この爪４２は、周方向Ａに向かって先端が寝るように鋸歯状に形成されている（図３参照）。なお、爪車部材４は、特に限定はされないが、弾性を有するプラスチック材料で成形されている。
【００２１】
また、爪車部材４のはさみ片２側の面には、はさみ片２の第一の係合部２１ｂと係合する円柱凸状の第二の係合部４３が、支点Ｆを介した対称位置に２つ形成されている。この第二の係合部４３，４３は、周方向Ａに向かって高くなるように、その頂面がテーパ状に形成されている（図２参照）。更に、爪車部材４のはさみ片２側の面には、第二の係合部４３，４３が厚み方向に変位可能なように、凹部４１の底面まで貫通する切抜きが形成されている。この切抜きは、第二の係合部４３，４３の内径側と外径側とに、第二の係合部４３，４３から周方向Ｂに向かってそれぞれ約半周だけ、支点Ｆを中心とする同心状に形成され、これら内径側及び外径側の切抜きが第二の係合部４３，４３の周方向Ａ側で繋がれている。このような切抜きにより、第二の係合部４３，４３を先端部に有する弧状の第一の弾性腕４４，４４が形成される。第二の係合部４３，４３は、この第一の弾性腕４４，４４の弾性力によって第一の係合部２１ｂと係合可能になっている。
【００２２】
弾性部材５は、全体が略円板状に形成され、その外周と同心の内周面が支点部２１の円柱部２１ｃの外周面に遊嵌しつつ、爪車部材４の凹部４１に収納されている。そして、内周面に設けられた２箇所の切欠き５１が、はさみ片３の支点部３１の凸部（図示せず）に嵌合されている。このような構成により、弾性部材５は、支点Ｆを中心としてはさみ片３と一体的に回動可能となっている。なお、弾性部材５は、特に限定はされないが、弾性を有するプラスチック材料で成形されている。
【００２３】
また、弾性部材５の外周面には、爪車部材４の爪４２と常態で噛合する尖角部５２が、支点Ｆを介した略対称位置に２つ形成されている。この尖角部５２，５２は、爪４２の形状に対応して、周方向Ｂに向かって先端が寝るように鋸歯状に形成されている。そして、この尖角部５２，５２の内径側は、周方向Ａに向けて約半周にわたり外周と同心に切抜かれており、この切抜きが尖角部５２，５２の周方向Ｂ側で外周面と繋がっている。このように切抜かれる結果、先端部に尖角部５２，５２を有する弧状の第二の弾性腕５３，５３が形成される。尖角部５２，５２は、この第二の弾性腕５３，５３の弾性変形によって径方向へ変位可能となっている。
【００２４】
なお、第二の弾性腕５３，５３をはさみ片３と一体に形成し、弾性部材５を設けないようにしてもよい。このように構成すれば、部品点数を減らすことができ、組立てを容易にするとともに製造コストを低減させることができる。
【００２５】
続いて、一対のはさみ片２，３を閉じる際のはさみ玩具１の動作について説明する。
【００２６】
まず、一対のはさみ片２，３を閉じる方向への力が、使用者によってハンドル２２，３２に加えられる。この力によって、はさみ片２は支点Ｆを中心にはさみ片３に対して周方向Ｂへ、はさみ片３はその逆に周方向Ａへそれぞれ回転する。
【００２７】
このとき、爪車部材４は、図２（ａ）に示すように、はさみ片２の支点部２１に対して周方向Ａへ回転しようとする。しかし、爪車部材４の第二の係合部４３が支点部２１の第一の係合部２１ｂに係合してその状態が維持されるために、爪車部材４は、はさみ片２に対して固定され該はさみ片２と一体的に周方向Ｂへ回転する。
【００２８】
一方、弾性部材５は、はさみ片３と一体的に回転するので、爪車部材４に対して周方向Ａへ回転しようとする。すると、図３（ａ）に示すように、爪車部材４の爪４２と弾性部材５の尖角部５２とが互いに寝ている面で接触するので、尖角部５２に対して内径方向への力が作用する。この力によって、尖角部５２を有する第二の弾性腕５３が内径方向へ弾性変形するとともに、この変形分だけ弾性部材５は周方向Ａへ回転する。この第二の弾性腕５３の弾性変形により、やがて尖角部５２は接触していた爪４２を乗り越えるが、同時に第二の弾性腕５３が外径方向へ弾性反発するので、尖角部５２は周方向Ａ側の隣の爪４２と再び接触する。ここまでの一連の動作を繰り返すことで、尖角部５２は周方向Ａに向かって爪４２を順次乗り越えていく。すなわち、尖角部５２を有する第二の弾性腕５３が爪４２に対して後退する方向へ動作する。こうして、弾性部材５は、爪車部材４に対して周方向Ａへ回転することができる。
【００２９】
また、第二の弾性腕５３の弾性反発により尖角部５２が爪４２によって弾かれる際に、尖角部５２と爪４２との接触音が発生する。この接触音は、上記の一連の動作を通じて連続的に繰り返される。したがって、一対のはさみ片２，３を閉じる際には、擬似的な切断音としての当該接触音を発生させることができる。
【００３０】
こうして、一対のはさみ片２，３は互いに閉じる方向へ回転し、ハンドル２２，３２かあるいは刃部２３，３３が互いに当接することで、その回転を停止する。
【００３１】
このように、一対のはさみ片２，３を閉じる際には、弾性部材５の第二の弾性腕５３は弾性変形によって爪車部材４の爪４２に対して後退する方向に動作可能であり、第一の係合部２１ｂと第二の係合部４３とは係合可能であるので、従来のように、尖角部５２と爪４２とを噛合させ、あるいは第一の係合部２１ｂと第二の係合部と４３を係合させるための付勢部材を必要としない。したがって、従来のように支点部が破損した際に付勢部材が飛び出て使用者である幼児に怪我を負わせる危険が無く、安全性が向上するとともに、付勢機能しか持たないコイルばねを必要としない。
【００３２】
続いて、一対のはさみ片２，３を開く際のはさみ玩具１の動作について説明する。
【００３３】
まず、一対のはさみ片２，３を開く方向への力が、使用者によってハンドル２２，３２に加えられる。この力によって、はさみ片２は支点Ｆを中心にはさみ片３に対して周方向Ａへ、はさみ片３はその逆に周方向Ｂへそれぞれ回転する。
【００３４】
このとき、弾性部材５は、はさみ片３と一体的に回転するので、図３（ｂ）に示すように、爪車部材４に対して周方向Ｂへ回転しようとする。しかし、弾性部材５の尖角部５２と爪車部材４の爪４２とは、回転方向に対して爪４２の垂直な面で互いに接触するため、第二の弾性腕５３を変形させる力が作用せず、互いに噛合状態を維持する。したがって、爪車部材４は、はさみ片３及び弾性部材５と一体的に周方向Ｂへ回転する。
【００３５】
爪車部材４は、はさみ片３と一体的に回転するので、はさみ片２の支点部２１に対して周方向Ｂへ回転しようとする。このとき、爪車部材４の第二の係合部４３は、支点部２１の第一の係合部２１ｂと係合しているか、あるいは係合していなくても爪車部材４の回転に伴っていずれ係合する。すると、図２（ｂ）に示すように、第二の係合部４３が、そのテーパ状の頂面で第一の係合部２１ｂの周方向Ｂ側の縁と接触するために、第二の係合部４３に対してはさみ片２と反対側への厚み方向の力が作用する。この力によって第二の係合部４３を有する第一の弾性腕４４がはさみ片２と反対側へ弾性変形するとともに、この変形分だけ爪車部材４は周方向Ｂへ回転する。この第一の弾性腕４４の弾性変形により、やがて第二の係合部４３は係合していた第一の係合部２１ｂから乗り上げる。すなわち、第一の係合部２１ｂと第二の係合部４３とが、第一の弾性腕４４の弾性力に抗して互いの係合を解く。その後、第二の係合部４３は、周方向Ｂ側の隣の第一の係合部２１ｂの位置まで回転すると、第一の弾性腕４４の弾性反発によって当該隣の第一の係合部２１ｂと再び係合する。ここまでの一連の動作を繰り返すことで、第二の係合部４３は周方向Ｂに向かって第一の係合部２１ｂを順次乗り越えていく。このようにして、爪車部材４は、はさみ片２に対して周方向Ｂへ回転することができる。
【００３６】
こうして、一対のはさみ片２，３は互いに開く方向へ回転することができる。
【００３７】
このように、一対のはさみ片２，３を開く際には、尖角部５２と爪４２とが噛合可能であり、第一の係合部２１ｂと第二の係合部４３とが第一の弾性腕４４の弾性力に抗して互いの係合を解くことが可能であるので、従来のように、尖角部５２と爪４２とを噛合させ、あるいは第一の係合部２１ｂと第二の係合部と４３を係合させるための付勢部材を必要としない。したがって、従来のように支点部が破損した際に付勢部材が飛び出て使用者である幼児に怪我を負わせる危険が無く、安全性が向上する。
【００３８】
また、一対のはさみ片２，３を開く際には、尖角部５２と爪４２とが噛合しているので、これらが接触する接触音は発生しない。
【００３９】
以上のように、はさみ玩具１によれば、一対のはさみ片２，３を閉じる際のみに擬似的な切断音を発生させることができる。また、付勢機能だけを備えるコイルばねを必要としないので、従来のように支点部が破損した際にこのコイルばねが飛び出て使用者である幼児に怪我を負わせる危険が無く、安全性が向上する。
【００４０】
なお、第一の係合部２１ｂと第二の係合部４３とは、それぞれが形成されるはさみ片２と爪車部材４とを入れ替えてもよいし、凹凸の組合せを逆にしてもよい。但し、その際は、必要に応じて第一の弾性腕４４をはさみ片２に設けた方がよい。また、第二の弾性腕５３，５３を、支点Ｆを中心とする円の円周方向に等間隔で複数設けるようにしてもよい。このように構成すれば、第二の弾性腕５３が爪４２によって弾かれて爪４２と尖角部５２とが接触する際に、より大きな音を出すことができる。その他の点においても、本考案は上記の実施の形態に限定されるものではなく、適宜変更可能である。
【００４１】
また、はさみ片２と爪車部材４とを一体的に回動するよう構成するとともに、第一の係合部２１ｂ及び第二の係合部４３と同様に形成された第三の係合部及び第四の係合部（いずれも図示せず）を、はさみ片３及び弾性部材５にそれぞれ設けてもよい。更に、このとき、爪車をはさみ片２と一体に形成して爪車部材４を設けないようにしてもよい。これにより、部品点数を減らすことができ、組立てを容易にするとともに製造コストを低減させることができる。
【図面の簡単な説明】
【００４２】
【図１】本実施の形態におけるはさみ玩具の分解斜視図である。
【図２】（ａ）第一の係合部と第二の係合部とが係合を維持するときの拡大断面図であり、（ｂ）係合を解くときの拡大断面図である。
【図３】（ａ）爪車部材の爪と弾性部材の尖角部とが噛合を解くときの拡大平面図であり、（ｂ）噛合を維持するときの拡大平面図である。
【符号の説明】
【００４３】
１      はさみ玩具
２，３  はさみ片
４      爪車部材
５      弾性部材
２１ｂ  第一の係合部
４２    爪
４３    第二の係合部
５２    尖角部
５３    第二の弾性腕（弾性腕）
Ｆ      支点
【図１】
0003140452.tif 000003
【図２】
0003140452.tif 000004
【図３】
0003140452.tif 000005